(57)【要約】    【課題】      アップストリーム側のキャリアのスカート現象によるダウンストリーム側のキャリアへの干渉を低減し、遠距離通信を可能とすること。    【解決手段】  ハンドシェイク手順で予め通信規格で定められた指定キャリアを受信し、この指定キャリアを用いて位相反転して送信されるＧＡＬＦ信号（Ｃ−ＧＡＬＦ１）やＦＬＡＧ信号（Ｒ−ＦＬＡＧ１、Ｃ−ＦＬＡＧ１）などの特定信号において通常位相反転して出力される信号を位相反転しない一方、通常位相反転されずに出力される信号を位相反転するように位相反転方式を変更し、当該変更後の位相反転方式を用いて上記特定信号を送信する。  【選択図】      図３
2005072781.tif 000002
【特許請求の範囲】
【請求項１】
ハンドシェイク手順で予め通信規格で定められた指定キャリアを送受信する送受信手段と、前記指定キャリアを用いて位相反転して送信される特定信号において通常用いられる位相反転方式を変更する変更手段と、を具備することを特徴とするＡＤＳＬモデム装置。
【請求項２】
前記変更手段は、前記特定信号において通常位相反転して出力される信号を位相反転しない一方、通常位相反転されずに出力される信号を位相反転することを特徴とする請求項１記載のＡＤＳＬモデム装置。
【請求項３】
前記特定信号は、前記指定キャリアを用いて送信されるＧＡＬＦ信号及びＦＬＡＧ信号を含むことを特徴とする請求項１又は請求項２記載のＡＤＳＬモデム装置。
【請求項４】
リモート側に配置され、前記変更手段は、センター側から送信されたＧＡＬＦ信号の位相反転方式に応じてＦＬＡＧ信号の位相反転方式を変更するか判断することを特徴とする請求項３記載のＡＤＳＬモデム装置。
【請求項５】
前記変更手段は、センター側から送信されたＧＡＬＦ信号の位相反転方式が通常の位相反転方式の場合にはＦＬＡＧ信号の位相反転方式を変更せず、ＧＡＬＦ信号の位相反転方式が通常の位相反転方式から変更されている場合にはＦＬＡＧ信号の位相反転方式を変更することを特徴とする請求項４記載のＡＤＳＬモデム装置。
【請求項６】
センター側に配置され、前記変更手段は、リモート側から前記指定キャリアを用いて送信されるＴＯＮＥ信号の受信レベルに応じてＧＡＬＦ信号の位相反転方式を変更するか判断することを特徴とする請求項３記載のＡＤＳＬモデム装置。
【請求項７】
前記変更手段は、ＴＯＮＥ信号の信号エネルギの減衰値が予め設定した減衰値を下回る場合にはＧＡＬＦ信号の位相反転方式を変更せず、ＴＯＮＥ信号の信号エネルギの減衰値が予め設定した減衰値を上回る場合にはＧＡＬＦ信号の位相反転方式を変更することを特徴とする請求項６記載のＡＤＳＬモデム装置。
【請求項８】
前記変更手段は、前記特定信号において通常用いられる位相反転方式を変更すると共に当該特定信号以降の伝送方式を調歩同期式に変更することを特徴とする請求項１から請求項７のいずれかに記載のＡＤＳＬモデム装置。
【請求項９】
ハンドシェイク手順で予め通信規格で定められた指定キャリアを受信し、前記指定キャリアを用いて位相反転して送信される特定信号において通常用いられる位相反転方式を変更し、当該変更後の位相反転方式を用いて前記特定信号を送信することを特徴とするＡＤＳＬモデム装置の通信方法。
【請求項１０】
前記特定信号の位相反転方式を変更する際、前記指定キャリアにおいて通常位相反転して出力される信号を位相反転しない一方、通常位相反転されずに出力される信号を位相反転することを特徴とする請求項９記載のＡＤＳＬモデム装置の通信方法。
【請求項１１】
ハンドシェイク手順で予め通信規格で定められた指定キャリアを受信し、前記指定キャリアを用いて位相反転して送信される特定信号において通常用いられる位相反転方式を変更すると共に当該特定信号以降の伝送方式を調歩同期式に変更し、当該変更後の位相反転方式を用いて調歩同期式により前記特定信号を送信することを特徴とするＡＤＳＬモデム装置の通信方法。
【発明の詳細な説明】
【技術分野】
【０００１】
本発明は、ＡＤＳＬモデム装置及びその通信方法に関する。
【背景技術】
【０００２】
ＡＤＳＬ通信においては、電話局（センター側）と加入者宅（リモート側）を結ぶ加入者線の両端にＡＤＳＬモデム装置を取り付け、このＡＤＳＬモデム装置間での高速なデータ通信を実現する。しかしながら、ＡＤＳＬ通信においては、使用帯域として数十ＫＨｚから１ＭＫＨｚ程度の帯域を使用しているので、高域の減衰率が大きいために信号の通信距離に大きな制限を受ける。
【０００３】
このような制限に対応するために、センター側及びリモート側の双方のＡＤＳＬモデム装置でイニシャライズ手順において受信した信号のゲイン特性を検出し、そのゲイン特性を互いに通知し、相手側から通知されたゲイン特性に基づいて以後の送信信号のゲイン特性を補正することにより、高域の減衰が大きくても信号の通信距離の延長を可能とする技術が開示されている（例えば、特許文献１参照）。
【特許文献１】特開２００３−８７３５２号公報（図４、図５）
【発明の開示】
【発明が解決しようとする課題】
【０００４】
しかしながら、上記従来の技術を用いた場合であっても、イニシャライズ手順の前段階で行われるハンドシェイク手順を適切に行うことができない場合には、イニシャライズ手順以降で利用する通信方式（例えば、Ｇ．ｄｍｔやＧ．ｌｉｔｅ）をセンター側とリモート側との間で選択することができず、通信を実行することができないという問題がある。
【０００５】
例えば、Ｇ．ｈｓのＡｎｎｅｘＡにおいては、アップストリームにインデックス＃９、１７、２５のキャリアを使用し、ダウンストリームにインデックス＃４０、５６、６４のキャリアを使用してハンドシェイク手順を実行している。Ｇ．ｈｓのＡｎｎｅｘＡにおいては、センター側とリモート側との間で位相反転したＦＬＡＧ等の信号が交換される。このＦＬＡＧ信号は、ビット列”０１１１１１１０”で構成され、”１”の位置で位相反転が発生する。したがって、位相反転が繰り返し行われることとなるが、この際、アップストリーム側のキャリア（インデックス＃９、１７、２５）のスカート現象でダウンストリーム側のキャリア（インデックス＃４０、５６、６４）が埋もれる事態が生じ得る。これは、通信距離が大きくなれば、高域に設定されたダウンストリーム側のキャリア（インデックス＃３２、６４、１２８）の減衰量が大きくなり、受信困難な状況が顕著になる。
【０００６】
本発明は、かかる問題点に鑑みて為されたものであり、アップストリーム側のキャリアのスカート現象によるダウンストリーム側のキャリアへの干渉を低減し、遠距離通信を可能にするＡＤＳＬモデム装置及びその通信方法を提供することを目的とする。
【課題を解決するための手段】
【０００７】
本発明は、ハンドシェイク手順で予め通信規格で定められた指定キャリアを受信し、前記指定キャリアを用いて位相反転して送信される特定信号において通常用いられる位相反転方式を変更し、当該変更後の位相反転方式を用いて前記特定信号を送信するようにしたものである。
【発明の効果】
【０００８】
本発明に係るＡＤＳＬモデム装置及びその通信方法によれば、アップストリーム側のキャリアのスカート現象によるダウンストリーム側のキャリアへの干渉を低減し、遠距離通信を可能とすることができる。
【発明を実施するための最良の形態】
【０００９】
本発明の第１の態様に係るＡＤＳＬモデム装置は、ハンドシェイク手順で予め通信規格で定められた指定キャリアを送受信する送受信手段と、前記指定キャリアを用いて位相反転して送信される特定信号において通常用いられる位相反転方式を変更する変更手段と、を具備する構成を採る。
【００１０】
この構成によれば、指定キャリアを用いて位相反転して送信される特定信号は、通常用いられる位相反転方式を変更して送信される。したがって、通常の位相反転方式で特定信号としてＦＬＡＧ信号を送信した場合において、位相反転が繰り返し行われることに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００１１】
本発明の第２の態様は、第１の態様に係るＡＤＳＬモデム装置において、前記変更手段は、前記特定信号において通常位相反転して出力される信号を位相反転しない一方、通常位相反転されずに出力される信号を位相反転する構成を採る。
【００１２】
この構成によれば、特定信号において通常位相反転して出力される信号を位相反転せず、通常位相反転されずに出力される信号を位相反転するので、例えば、ＦＬＡＧ信号を構成するビット列”０１１１１１１０”においては、通常、”１”の位置で位相反転が６回繰り返し行っていたのに対し、”０”の位置で位相反転を行うだけで済むこととなる。したがって、位相反転が繰り返し行われることに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００１３】
本発明の第３の態様は、第１又は第２の態様に係るＡＤＳＬモデム装置において、前記特定信号は、前記指定キャリアを用いて送信されるＧＡＬＦ信号及びＦＬＡＧ信号を含む構成を採る。
【００１４】
この構成によれば、指定キャリアを用いて送信されるＦＬＡＧ信号及びＧＡＬＦ信号が通常の位相反転方式を変更して送信されることとなる。このため、ＦＬＡＧ信号を構成するビット列”０１１１１１１０”においては、通常、”１”の位置で位相反転が６回繰り返し行っていたのに対し、”０”の位置で位相反転を行うだけで済むこととなる。したがって、位相反転が繰り返し行われることに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００１５】
本発明の第４の態様は、第３の態様に係るＡＤＳＬモデム装置において、リモート側に配置され、前記変更手段は、センター側から送信されたＧＡＬＦ信号の位相反転方式に応じてＦＬＡＧ信号の位相反転方式を変更するか判断する構成を採る。
【００１６】
この構成によれば、センター側から送信されたＧＡＬＦ信号の位相反転方式に応じてＦＬＡＧ信号の位相反転方式を変更するか判断する。このため、センター側が選択した位相反転方式に従ってハンドシェイク手順を実行することができる。
【００１７】
本発明の第５の態様は、第４の態様に係るＡＤＳＬモデム装置において、前記変更手段は、センター側から送信されたＧＡＬＦ信号の位相反転方式が通常の位相反転方式の場合にはＦＬＡＧ信号の位相反転方式を変更せず、ＧＡＬＦ信号の位相反転方式が通常の位相反転方式から変更されている場合にはＦＬＡＧ信号の位相反転方式を変更する構成を採る。
【００１８】
この構成によれば、センター側から送信されたＧＡＬＦ信号の位相反転方式が通常の位相反転方式の場合にはＦＬＡＧ信号の位相反転方式を変更せず、ＧＡＬＦ信号の位相反転方式が通常の位相反転方式から変更されている場合にはＦＬＡＧ信号の位相反転方式を変更する。このため、センター側から送信されたＧＡＬＦ信号の位相反転方式に合わせてハンドシェイク手順を実行することができる。
【００１９】
本発明の第６の態様は、第３の態様に係るＡＤＳＬモデム装置において、センター側に配置され、前記変更手段は、リモート側から前記指定キャリアを用いて送信されるＴＯＮＥ信号の受信レベルに応じてＧＡＬＦ信号の位相反転方式を変更するか判断する構成を採る。
【００２０】
この構成によれば、リモート側から前記指定キャリアを用いて送信されるＴＯＮＥ信号の受信レベルに応じてＧＡＬＦ信号の位相反転方式を変更するか判断する。一方、ＴＯＮＥ信号の受信レベルは、リモート側のＡＤＳＬモデム装置との通信距離が大きい場合に小さくなる。このため、リモート側のＡＤＳＬモデム装置との通信距離に応じて位相反転方式を選択することができる。
【００２１】
本発明の第７の態様は、第６の態様に係るＡＤＳＬモデム装置において、前記変更手段は、ＴＯＮＥ信号の信号エネルギの減衰値が予め設定した減衰値を下回る場合にはＧＡＬＦ信号の位相反転方式を変更せず、ＴＯＮＥ信号の信号エネルギの減衰値が予め設定した減衰値を上回る場合にはＧＡＬＦ信号の位相反転方式を変更する構成を採る。
【００２２】
この構成によれば、ＴＯＮＥ信号の信号エネルギの減衰値が予め設定した減衰値を下回る場合にはＧＡＬＦ信号の位相反転方式を変更せず、ＴＯＮＥ信号の信号エネルギの減衰値が予め設定した減衰値を上回る場合にはＧＡＬＦ信号の位相反転方式を変更する。このため、通信距離が予め設定した減衰値に応じた通信距離よりも大きい場合に位相反転方式を変更してハンドシェイク手順を実行することができる。
【００２３】
本発明の第８の態様は、第１から第７のいずれかの態様に係るＡＤＳＬモデム装置において、前記変更手段は、前記特定信号において通常用いられる位相反転方式を変更すると共に当該特定信号以降の伝送方式を調歩同期式に変更する構成を採る。
【００２４】
この構成によれば、特定信号において通常用いられる位相反転方式を変更すると共に当該特定信号以降の伝送方式を調歩同期式に変更する。調歩同期式において特定信号を送信する場合、その特定信号の前にデータのスタートを示す”０”が出力される。このため、位相反転方式のみを変更する場合に比べ、より位相反転して出力される特定信号を容易に判別することができ、より確実にハンドシェイク手順を実行することができる。
【００２５】
本発明の第９の態様に係るＡＤＳＬモデム装置の通信方法は、ハンドシェイク手順で予め通信規格で定められた指定キャリアを受信し、前記指定キャリアを用いて位相反転して送信される特定信号において通常用いられる位相反転方式を変更し、当該変更後の位相反転方式を用いて前記特定信号を送信するものである。
【００２６】
この方法によれば、指定キャリアを用いて位相反転して送信される特定信号は、通常用いられる位相反転方式を変更して送信される。したがって、通常の位相反転方式で特定信号としてＦＬＡＧ信号を送信した場合において、位相反転が繰り返し行われることに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００２７】
本発明の第１０の態様は、第９の態様に係るＡＤＳＬモデム装置の通信方法において、前記特定信号の位相反転方式を変更する際、前記指定キャリアにおいて通常位相反転して出力される信号を位相反転しない一方、通常位相反転されずに出力される信号を位相反転するものである。
【００２８】
この方法によれば、特定信号において通常位相反転して出力される信号を位相反転せず、通常位相反転されずに出力される信号を位相反転するので、例えば、ＦＬＡＧ信号を構成するビット列”０１１１１１１０”においては、通常、”１”の位置で位相反転が６回繰り返し行っていたのに対し、”０”の位置で位相反転を行うだけで済むこととなる。したがって、位相反転が繰り返し行われることに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００２９】
本発明の第１１の態様に係るＡＤＳＬモデム装置の通信方法は、ハンドシェイク手順で予め通信規格で定められた指定キャリアを受信し、前記指定キャリアを用いて位相反転して送信される特定信号において通常用いられる位相反転方式を変更すると共に当該特定信号以降の伝送方式を調歩同期式に変更し、当該変更後の位相反転方式を用いて調歩同期式により前記特定信号を送信するものである。
【００３０】
この方法によれば、指定キャリアを用いて位相反転して送信される特定信号は、通常用いられる位相反転方式を変更して送信される。したがって、通常の位相反転方式で特定信号としてＦＬＡＧ信号を送信した場合において、位相反転が繰り返し行われることに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００３１】
また、この方法によれば、特定信号において通常用いられる位相反転方式を変更すると共に当該特定信号以降の伝送方式を調歩同期式に変更する。調歩同期式において特定信号を送信する場合、その特定信号の前にデータのスタートを示す”０”が出力される。このため、位相反転方式のみを変更する場合に比べ、より位相反転して出力される特定信号を容易に判別することができ、より確実にハンドシェイク手順を実行することができる。
【００３２】
以下、本発明の実施の形態について、図面を参照して詳細に説明する。
【００３３】
（実施の形態１）
図１は、本発明の実施の形態１に係るＡＤＳＬモデム装置が適用されるリモート（ＡＴＵ−Ｒ）側の通信システムの概略構成を示す図である。同図に示す通信システムは、公衆回線網又はこれと同等の回線網（以下、回線という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００３４】
ＡＤＳＬモデム装置２は、後述するハンドシェイク手順を実行するトランシーバ１１と、このトランシーバ１１を含む全体の動作を制御するホスト１２とを備えている。トランシーバ１１の回線側端部はアナログフロントエンド（以下、ＡＦＥという）１３を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００３５】
図２は、トランシーバ１１の機能ブロック図である。プロセッサ２０は、データ通信（ショータイム）が開始される前段で、ハンドシェイク手順を実行する機能を備える部分である。
【００３６】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、ＩＦＦＴという）するＩＦＦＴ部２６から構成されている。
【００３７】
トランシーバ１１の受信側は、受信信号のサンプリングデータを高速フーリエ変換（以下、ＦＦＴという）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。ＲＡＭ３３は、プロセッサ２０のワークエリアであり、ハンドシェイク手順、イニシャライズ手順の実行時に使用される。また、ＲＡＭ３３には、後述するキャリアテーブルが格納される。トランシーバ１１は、ホストインターフェース（Ｉ／Ｆ）３４を介してホスト１２と接続される。
【００３８】
上記ＡＤＳＬモデム装置２に対してメタリックケーブルを介してセンター（ＨＳＴＵ−Ｃ）側のＡＤＳＬモデム装置が接続される。センター側のＡＤＳＬモデム装置は、上記ＡＤＳＬモデム装置２と同様の構成を備えている。以下、センター側のＡＤＳＬモデム装置についても同一の符号（２）を用いて説明する。なお、センター側は、通信事業者の設置した交換機である場合には、電話機４は存在しない。
【００３９】
実施の形態１に係るセンター側及びリモート側のＡＤＳＬモデム装置２は、Ｇ．ｈｓのＡｎｎｅｘＡによるハンドシェイク手順で交換される特定の信号の位相反転方式を必要に応じて変更したハンドシェイク手順を実行する。
【００４０】
また、当該ハンドシェイク手順においては、特定の信号の位相反転方式を変更するのみであり、センター側及びリモート側のＡＤＳＬモデム装置２間において、交換される信号は、通常のＧ．ｈｓのＡｎｎｅｘＡによるハンドシェイク手順におけるものと同一である。ここで、通常のＧ．ｈｓのＡｎｎｅｘＡによるハンドシェイク手順について説明する。図３は、通常のＧ．ｈｓのＡｎｎｅｘＡによるハンドシェイク手順を説明するためのシーケンス図である。
【００４１】
Ｇ．ｈｓのＡｎｎｅｘＡにおいては、リモート側からセンター側へのアップストリームにインデックス＃９、１７、２５のキャリアを使用し、センター側からリモート側へのダウンストリームにインデックス＃４０、５６、６４のキャリアを使用してハンドシェイク手順が実行される。
【００４２】
同図に示すように、まず、リモート側（ＨＳＴＵ−Ｒ）とセンター側（ＨＳＴＵ−Ｃ）との間で無信号状態（Ｒ−ＳＩＬＥＮＴ０、Ｃ−ＳＩＬＥＮＴ１）を経て、リモート側からトーン信号を要求するＲ−ＴＯＮＥＳ−ＲＥＱが出力される。これに応じてセンター側からＣ−ＴＯＮＥＳ信号が出力される。このＣ−ＴＯＮＥＳ信号を確認すると、リモート側からＲ−ＴＯＮＥ１が出力される。これらのＲ−ＴＯＮＥＳ−ＲＥＱ、Ｃ−ＴＯＮＥＳ及びＲ−ＴＯＮＥ１においては、位相を反転していない信号が出力される。
【００４３】
Ｒ−ＴＯＮＥ１を確認すると、センター側からＣ−ＧＡＬＦ１が出力される。そして、Ｃ−ＧＡＬＦ１を確認すると、リモート側からＲ−ＦＬＡＧ１が出力される。さらに、Ｒ−ＦＬＡＧ１を確認すると、センター側からＣ−ＦＬＡＧ１が出力される。センター側及びリモート側において、それぞれＲ−ＦＬＡＧ１及びＣ−ＦＬＡＧ１を確認すると、Ｇ．ｈｓのメッセージを交換した後、ハンドシェイク手順を完了し、イニシャライズ手順に移行する。
【００４４】
ここで、Ｃ−ＧＡＬＦ１は、ビット列”１００００００１”で構成され、Ｒ−ＦＬＡＧ１及びＣ−ＦＬＡＧ１は、ビット列”０１１１１１１０”で構成される。これらのＣ−ＧＡＬＦ１、Ｒ−ＦＬＡＧ１及びＣ−ＦＬＡＧ１においては、”１”を伝送する際にその位相を反転した信号が出力される。
【００４５】
図４は、Ｇ．ｈｓのＡｎｎｅｘＡの特定キャリア（アップストリーム：＃９、１７、２５、ダウンストリーム：＃４０、５６、６４）における信号波形を示す図である。同図（ａ）に示すように、”０”を伝送する場合には、位相を反転していない信号が出力される。一方、同図（ｂ）に示すように、”１”を伝送する場合には、位相を反転した信号が出力される。
【００４６】
図５及び図６は、それぞれ”０”を伝送した場合及び連続して”１”を伝送した場合におけるスペクトラムを示す。なお、図５及び図６においては、特にアップストリームにおける特定キャリアのスペクトラムについて示しているが、ダウンストリームにおける特定キャリアにおいても同様のスペクトラムとなる。図５及び図６に示すように、”０”を伝送した場合には、位相反転が行われないためスカート現象が発生していないが、”１”を連続して伝送した場合には、位相反転が行われるためスカート現象が発生していることが分かる。
【００４７】
図７は、Ｇ．ｈｓのＡｎｎｅｘＡの特定キャリアにおいて、位相反転する信号（Ｃ−ＧＡＬＦ１、Ｒ−ＦＬＡＧ１及びＣ−ＦＬＡＧ１）における出力を説明するための図である。同図に示すように、Ｃ−ＧＡＬＦ１においては、最大で２回”１”が連続するものの、３回以上連続して”１”が出力されることはない。このため、位相反転によるスカート現象が深刻な問題となることはない。しかし、Ｒ−ＦＬＡＧ１及びＣ−ＦＬＡＧ１においては、常に６回”１”が連続して出力されることとなる。このため、位相反転によるスカート現象が深刻な問題となる。
【００４８】
このため、実施の形態１に係るＡＤＳＬモデム装置２においては、位相反転する信号における位相反転方式を必要に応じて変更する。すなわち、本ＡＤＳＬモデム装置２は、通常の場合における”１”について位相反転し、”０”について位相反転しないという位相反転方式を、”０”について位相反転し、”１”について位相反転しないという位相反転方式に変更する。
【００４９】
このように位相反転方式を変更した場合には、Ｃ−ＧＡＬＦ１においては、位相反転が発生する”０”が常に６回連続して出力されることとなる。このため、位相反転によるスカート現象が発生する。しかし、Ｃ−ＧＡＬＦ１は、Ｒ−ＦＬＡＧ１及びＣ−ＦＬＡＧ１と比べて出力時間が短い。そして、Ｒ−ＦＬＡＧ１及びＣ−ＦＬＡＧ１を確実に認識できれば、ハンドシェイク手順を適切に実行することができるという事情をある。したがって、Ｒ−ＦＬＡＧ１及びＣ−ＦＬＡＧ１においてスカート現象が発生する場合と比べてハンドシェイク手順における影響が小さい。これに対して、Ｒ−ＦＬＡＧ１及びＣ−ＦＬＡＧ１においては、位相反転が発生する”０”が最大で２回連続するものの、３回以上連続して”０”が出力されることはない。このため、位相反転によるスカート現象が深刻な問題となることはない。
【００５０】
このように実施の形態１に係るＡＤＳＬモデム装置２は、必要に応じて位相反転方式を変更してハンドシェイク手順を実行する。以下、リモート側及びセンター側のＡＤＳＬモデム装置２において、位相反転方式を変更してハンドシェイク手順を実行する場合の動作を説明する。図８及び図９は、それぞれリモート側及びセンター側のＡＤＳＬモデム装置２において、位相反転方式を変更してハンドシェイク手順を実行する場合の動作を説明するためのフロー図である。まず、リモート側のＡＤＳＬモデム装置２について説明する。
【００５１】
リモート側のＡＤＳＬモデム装置２は、Ｇ．ｈｓを開始すると、まず、Ｒ−ＴＯＮＥＳ−ＲＥＱを送信する（ＳＴ８０１）。Ｒ−ＴＯＮＥＳ−ＲＥＱを確認すると、これに応じてセンター側のＡＤＳＬモデム装置２がＣ−ＴＯＮＥＳを送信してくるので、これを受信する（ＳＴ８０２）。このＣ−ＴＯＮＥＳを確認すると、リモート側のＡＤＳＬモデム装置２は、Ｒ−ＴＯＮＥ１を送信する（ＳＴ８０３）。Ｒ−ＴＯＮＥ１を確認すると、これに応じてセンター側のＡＤＳＬモデム装置２がＣ−ＧＡＬＦ１を送信してくるので、これを受信する（ＳＴ８０４）。
【００５２】
Ｃ−ＧＡＬＦ１を受信したならば、リモート側のＡＤＳＬモデム装置２は、このＣ−ＧＡＬＦ１を構成する”０”、”１”における位相反転方式が変更されているか判断する（ＳＴ８０５）。すなわち、”０”において位相反転された信号が出力され、”１”において位相反転されていない信号が出力されているかを判断する。
【００５３】
位相反転方式が変更されているならば、リモート側のＡＤＳＬモデム装置２は、Ｒ−ＦＬＡＧ１を構成する”０”、”１”における位相反転方式を変更して送信する（ＳＴ８０６）。すなわち、”０”において位相反転された信号を出力し、”１”において位相反転されていない信号を出力する。Ｒ−ＦＬＡＧ１に応じてセンター側のＡＤＳＬモデム装置２から位相反転方式を変更されたＣ−ＦＬＡＧ１を受信した後、さらに、Ｇ．ｈｓのメッセージ交換を位相反転方式を変更して実施する（ＳＴ８０７）。そして、メッセージ交換を完了したならば、Ｇ．ｈｓを終了する。
【００５４】
一方、位相反転方式が変更されていないならば、リモート側のＡＤＳＬモデム装置２は、通常の位相反転方式（従来型）に従ってＲ−ＦＬＡＧ１を送信する（ＳＴ８０８）。すなわち、”１”において位相反転された信号を出力し、”０”において位相反転されていない信号を出力する。Ｒ−ＦＬＡＧ１に応じてセンター側のＡＤＳＬモデム装置２からＣ−ＦＬＡＧ１を受信した後、さらに、Ｇ．ｈｓのメッセージ交換を通常の位相反転方式（従来型）に従って実施する（ＳＴ８０９）。そして、メッセージ交換を完了したならば、Ｇ．ｈｓを終了する。
【００５５】
このようにリモート側のＡＤＳＬモデム装置２では、センター側のＡＤＳＬモデム装置２から送信されたＧＡＬＦ信号の位相反転方式に応じてＦＬＡＧ信号の位相反転方式を変更するか判断する。このため、センター側のＡＤＳＬモデム装置２が選択した位相反転方式に従ってハンドシェイク手順を実行することができる。
【００５６】
特に、リモート側のＡＤＳＬモデム装置２では、センター側のＡＤＳＬモデム装置２から送信されたＧＡＬＦ信号の位相反転方式が通常の位相反転方式の場合にはＦＬＡＧ信号の位相反転方式を変更せず、ＧＡＬＦ信号の位相反転方式が通常の位相反転方式から変更されている場合にはＦＬＡＧ信号の位相反転方式を変更する。このため、センター側のＡＤＳＬモデム装置２から送信されたＧＡＬＦ信号の位相反転方式に合わせてハンドシェイク手順を実行することができる。
【００５７】
センター側のＡＤＳＬモデム装置２は、Ｇ．ｈｓを開始すると、まず、リモート側のＡＤＳＬモデム装置２からＲ−ＴＯＮＥＳ−ＲＥＱが送信されてくるので、これを受信する（ＳＴ９０１）。このＲ−ＴＯＮＥＳ−ＲＥＱを確認すると、センター側のＡＤＳＬモデム装置２は、Ｃ−ＴＯＮＥＳを送信する（ＳＴ９０２）。このＣ−ＴＯＮＥＳを確認すると、これに応じてリモート側のＡＤＳＬモデム装置２がＲ−ＴＯＮＥ１を送信してくるので、これを受信する（ＳＴ９０３）。
【００５８】
Ｒ−ＴＯＮＥ１を受信したならば、センター側のＡＤＳＬモデム装置２は、このＲ−ＴＯＮＥ１の受信レベルが低いか判断する（ＳＴ９０４）。ここで、Ｒ−ＴＯＮＥ１の受信レベルが低いか判断しているのは、リモート側のＡＤＳＬモデム装置２との通信距離を判断するためである。すなわち、通信距離が大きい場合には、その通信距離に応じてＲ−ＴＯＮＥ１の信号エネルギが減衰し、受信レベルが低くなると考えられるからである。
【００５９】
なお、本実施の形態において、Ｒ−ＴＯＮＥ１の受信レベルが低いとは、例えば、インデックス＃９、１７、２５のキャリアのいずれかにおいて、それぞれ−４４ｄＢ、−５１ｄＢ、−５６ｄＢ以上減衰している場合をいうものとする。かかる減衰は、相手側ＡＤＳＬモデム装置２との通信距離が５Ｋｍである場合のものである。実施の形態１においては、この減衰値以上であれば、アップストリームのキャリアのスカート現象によるダウンストリームのキャリアへの干渉が大きくなると判断し位相反転方式を変更する一方、この減衰値以下であれば、通常の位相反転方式を用いてハンドシェイク手順を実行する。
【００６０】
Ｒ−ＴＯＮＥ１の受信レベルが低いならば、リモート側のＡＤＳＬモデム装置２との通信距離が大きい（５Ｋｍ以上）と判断して、センター側のＡＤＳＬモデム装置２は、Ｃ−ＧＡＬＦ１を構成する”０”、”１”における位相反転方式を変更して送信する（ＳＴ９０５）。すなわち、”０”において位相反転された信号を出力し、”１”において位相反転されていない信号を出力する。さらに、リモート側のＡＤＳＬモデム装置２との間でＦＬＡＧ交換及びＧ．ｈｓのメッセージ交換を、位相反転方式を変更して実施する（ＳＴ９０６）。そして、メッセージ交換を完了したならば、Ｇ．ｈｓを終了する。
【００６１】
一方、Ｒ−ＴＯＮＥ１の受信レベルが低くないならば、リモート側のＡＤＳＬモデム装置２との通信距離が小さい（５Ｋｍ以下）と判断して、センター側のＡＤＳＬモデム装置２は、通常の位相反転方式（従来型）に従ってＣ−ＧＡＬＦ１を送信する（ＳＴ９０７）。すなわち、”１”において位相反転された信号を出力し、”０”において位相反転されていない信号を出力する。さらに、リモート側のＡＤＳＬモデム装置２との間でＦＬＡＧ交換及びＧ．ｈｓのメッセージ交換を、通常の位相反転方式（従来型）に従って実施する（ＳＴ９０８）。そして、メッセージ交換を完了したならば、Ｇ．ｈｓを終了する。
【００６２】
このようにセンター側のＡＤＳＬモデム装置２では、リモート側のＡＤＳＬモデム装置２から送信されるＲ−ＴＯＮＥ１の受信レベルに応じてＣ−ＧＡＬＦ１の位相反転方式を変更するか判断する。このＲ−ＴＯＮＥ１の受信レベルは、リモート側のＡＤＳＬモデム装置２との通信距離が大きい場合に小さくなる。このため、リモート側のＡＤＳＬモデム装置２との通信距離に応じて位相反転方式を選択することができる。
【００６３】
特に、センター側のＡＤＳＬモデム装置２では、Ｒ−ＴＯＮＥ１の信号エネルギの減衰値が予め設定した減衰値を下回る場合にはＣ−ＧＡＬＦ１の位相反転方式を変更せず、Ｒ−ＴＯＮＥ１の信号エネルギの減衰値が予め設定した減衰値を上回る場合にはＣ−ＧＡＬＦ１の位相反転方式を変更する。このため、通信距離が予め設定した減衰値に応じた通信距離よりも大きい場合に位相反転方式を変更してハンドシェイク手順を実行することができる。
【００６４】
このように実施の形態１に係るＡＤＳＬモデム装置２によれば、Ｇ．ｈｓのＡｎｎｅｘＡにおいて、位相反転して出力される特定信号（Ｃ−ＧＡＬＦ１、Ｒ−ＦＬＡＧ１及びＣ−ＦＬＡＧ１）における位相反転方式を必要に応じて変更してハンドシェイク手順を実行する。これにより、Ｒ−ＦＬＡＧ１及びＣ−ＦＬＡＧ１において位相反転を繰り返し行うことに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００６５】
（実施の形態２）
実施の形態１に係るＡＤＳＬモデム装置２がＧ．ｈｓのＡｎｎｅｘＡにおいて、位相反転して出力される特定信号における位相反転方式を必要に応じて変更してハンドシェイク手順を実行するのに対し、実施の形態２に係るＡＤＳＬモデム装置２は、位相反転して出力される特定信号における位相反転方式を必要に応じて変更すると共に、特定信号以降の伝送方式を調歩同期式に変更してハンドシェイク手順を実行する点で相違する。
【００６６】
図１０及び図１１は、それぞれ実施の形態２に係るリモート側及びセンター側のＡＤＳＬモデム装置２において、位相反転方式を変更すると共に伝送方式を調歩同期式に変更してハンドシェイク手順を実行する場合の動作を説明するためのフロー図である。まず、リモート側のＡＤＳＬモデム装置２について説明する。なお、図１０及び図１１において、図８及び図９と同一の符号を付した処理については同様の処理を行うものとし、その説明を省略する。
【００６７】
実施の形態２に係るリモート側のＡＤＳＬモデム装置２においては、実施の形態１と同様に、Ｒ−ＴＯＮＥ−ＲＥＱの送信からＣ−ＧＡＬＦ１の受信までの処理を行う（ＳＴ８０１〜ＳＴ８０４）。しかし、このＣ−ＧＡＬＦ１における判断において相違する処理を行う。すなわち、実施の形態１においてＣ−ＧＡＬＦ１を構成する”０”、”１”における位相反転方式が変更されているか判断するのに対し、実施の形態２においては、これに加え、伝送方式が調歩同期式であるか判断する（ＳＴ１００１）。
【００６８】
図１２は、伝送方式を調歩同期式に変更した場合にＧ．ｈｓのＡｎｎｅｘＡの特定キャリアにおいて、位相反転する信号（Ｃ−ＧＡＬＦ１、Ｒ−ＦＬＡＧ１及びＣ−ＦＬＡＧ１）における出力を説明するための図である。同図に示すように、調歩同期式においては、センター側のＡＤＳＬモデム装置２から出力されるＣ−ＧＡＬＦ１は、ストップビットとしての”１１１１１１１１”、データのスタートを示す”０”及びＣ−ＧＡＬＦ１を示す”１００００００１”で構成され、これらのビット列が繰り返された後、ストップビット”１１１１１１１１”で終了する。
【００６９】
このため、ＳＴ１００１において実施の形態２に係るリモート側のＡＤＳＬモデム装置２は、”０”において位相反転された信号が出力され、”１”において位相反転されていない信号が出力されているかを判断すると共に、上述のようなビット列でＣ−ＧＡＬＦ１が構成されているかを判断する。
【００７０】
位相反転方式が変更され、かつ、伝送方式が調歩同期式であるならば、リモート側のＡＤＳＬモデム装置２は、Ｒ−ＦＬＡＧ１を構成する”０”、”１”における位相反転方式を変更し、伝送方式に調歩同期式を用いて送信する（ＳＴ１００２）。すなわち、”０”において位相反転された信号を出力し、”１”において位相反転されていない信号を出力すると共に、図１２に示すビット列で構成されるＲ−ＦＬＡＧ１を出力する。具体的には、ストップビットとしての”１１１１１１１１”、データのスタートを示す”０”及びＲ−ＦＬＡＧ１を示す”０１１１１１１０”で構成され、これらのビット列が繰り返された後、ストップビット”１１１１１１１１”で終了するビット列で構成されるＲ−ＦＬＡＧ１を出力する。
【００７１】
Ｒ−ＦＬＡＧ１に応じてセンター側のＡＤＳＬモデム装置２から位相反転方式を変更され、かつ、伝送方式に調歩同期式を用いたＣ−ＦＬＡＧ１を受信した後、さらに、Ｇ．ｈｓのメッセージ交換を、位相反転方式を変更し、かつ、伝送方式に調歩同期式を用いて実施する（ＳＴ１００３）。そして、メッセージ交換を完了したならば、Ｇ．ｈｓを終了する。
【００７２】
一方、位相反転方式が変更され、かつ、伝送方式が調歩同期式でないならば、リモート側のＡＤＳＬモデム装置２は、通常の位相反転方式（従来型）に従ってＲ−ＦＬＡＧ１を送信する（ＳＴ８０８）。すなわち、”１”において位相反転された信号を出力し、”０”において位相反転されていない信号を出力する。Ｒ−ＦＬＡＧ１に応じてセンター側のＡＤＳＬモデム装置２からＣ−ＦＬＡＧ１を受信した後、さらに、Ｇ．ｈｓのメッセージ交換を通常の位相反転方式（従来型）に従って実施する（ＳＴ８０９）。そして、メッセージ交換を完了したならば、Ｇ．ｈｓを終了する。
【００７３】
実施の形態２に係るセンター側のＡＤＳＬモデム装置２は、実施の形態１と同様に、Ｒ−ＴＯＮＥＳ−ＲＥＱの受信からＲ−ＴＯＮＥ１の受信レベルの判断までの処理を行う（ＳＴ９０１〜ＳＴ９０４）。受信レベルが低いか判断する理由及びその判断基準は、実施の形態１と同様である。
【００７４】
Ｒ−ＴＯＮＥ１の受信レベルが低いならば、リモート側のＡＤＳＬモデム装置２との通信距離が大きい（５Ｋｍ以上）と判断して、センター側のＡＤＳＬモデム装置２は、Ｃ−ＧＡＬＦ１を構成する”０”、”１”における位相反転方式を変更し、かつ、伝送方式に調歩同期式を用いて送信する（ＳＴ１１０１）。すなわち、”０”において位相反転された信号を出力し、”１”において位相反転されていない信号を出力すると共に、図１２に示すビット列で構成されるＣ−ＧＡＬＦ１を出力する。
【００７５】
さらに、リモート側のＡＤＳＬモデム装置２との間でＦＬＡＧ交換及びＧ．ｈｓのメッセージ交換を、位相反転方式を変更し、かつ、伝送方式に調歩同期式を用いて実施する（ＳＴ１１０２）。そして、メッセージ交換を完了したならば、Ｇ．ｈｓを終了する。
【００７６】
一方、Ｒ−ＴＯＮＥ１の受信レベルが低くないならば、リモート側のＡＤＳＬモデム装置２との通信距離が小さい（５Ｋｍ以下）と判断して、センター側のＡＤＳＬモデム装置２は、通常の位相反転方式（従来型）に従ってＣ−ＧＡＬＦ１を送信する（ＳＴ９０７）。すなわち、”１”において位相反転された信号を出力し、”０”において位相反転されていない信号を出力する。さらに、リモート側のＡＤＳＬモデム装置２との間でＦＬＡＧ交換及びＧ．ｈｓのメッセージ交換を、通常の位相反転方式（従来型）に従って実施する（ＳＴ９０８）。そして、メッセージ交換を完了したならば、Ｇ．ｈｓを終了する。
【００７７】
このように実施の形態２に係るＡＤＳＬモデム装置２によれば、Ｇ．ｈｓのＡｎｎｅｘＡにおいて、位相反転して出力される特定信号（Ｃ−ＧＡＬＦ１、Ｒ−ＦＬＡＧ１及びＣ−ＦＬＡＧ１）における位相反転方式を必要に応じて変更すると共に、特定信号以降の伝送方式を調歩同期式に変更してハンドシェイク手順を実行する。これにより、Ｒ−ＦＬＡＧ１及びＣ−ＦＬＡＧ１において位相反転を繰り返し行うことに起因してスカート現象が発生する事態を回避することができる。このため、アップストリーム側のキャリアのスカート現象によるダウンストリーム側のキャリアへの干渉を低減することができる。この結果、相手側ＡＤＳＬモデム装置２との通信距離が大きい場合でも確実にハンドシェイク手順を実行することができるので、遠距離通信を可能とすることができる。
【００７８】
また、実施の形態２に係るＡＤＳＬモデム装置２によれば、伝送方式に調歩同期式を用いて特定信号以降のハンドシェイク手順を実行する。位相反転して送信される特定信号が出力される際、その特定信号の前にデータのスタートを示す”０”が出力される。このため、位相反転方式のみを変更する場合に比べ、より位相反転して出力される特定信号を容易に判別することができ、より確実にハンドシェイク手順を実行することができるという効果を奏する。
【００７９】
なお、本実施の形態においては、Ｇ．ｈｓのＡｎｎｅｘＡにおける特定のキャリアにおいて、位相反転して出力される信号について説明している。しかし、これに限定されることなく、Ｇ．ｈｓのＡｎｎｅｘＢやＡｎｎｅｘＣにおける特定のキャリアにおいて、位相反転して出力される信号にも適用することができる。このようにＧ．ｈｓのＡｎｎｅｘＢやＡｎｎｅｘＣにおいても、本実施の形態と同様の効果を得ることができる。
【産業上の利用可能性】
【００８０】
本発明に係るＡＤＳＬモデム装置は、位相反転して出力される信号（Ｃ−ＧＡＬＦ１、Ｒ−ＦＬＡＧ１及びＣ−ＦＬＡＧ１）における位相反転方式を必要に応じて変更してハンドシェイク手順を実行するようにしたので、アップストリーム側のキャリアのスカート現象によるダウンストリーム側のキャリアへの干渉を低減し、遠距離通信を可能にする点で有用である。
【図面の簡単な説明】
【００８１】
【図１】本発明の実施の形態１に係るＡＤＳＬモデム装置が適用されるリモート側の通信システムの概略構成を示す図
【図２】図１に示すトランシーバの機能ブロック図
【図３】通常のＧ．ｈｓのＡｎｎｅｘＡによるハンドシェイク手順を説明するためのシーケンス図
【図４】Ｇ．ｈｓのＡｎｎｅｘＡの特定キャリアにおける信号波形を示す図
【図５】Ｇ．ｈｓのＡｎｎｅｘＡの特定キャリアにおいて、”０”を伝送した場合におけるスペクトラムを示す図
【図６】Ｇ．ｈｓのＡｎｎｅｘＡの特定キャリアにおいて、連続して”１”を伝送した場合におけるスペクトラムを示す図
【図７】Ｇ．ｈｓのＡｎｎｅｘＡの特定キャリアにおいて、位相反転する信号における出力を説明するための図
【図８】実施の形態１に係るリモート側のＡＤＳＬモデム装置において、位相反転方式を変更してハンドシェイク手順を実行する場合の動作を説明するためのフロー図
【図９】実施の形態１に係るセンター側のＡＤＳＬモデム装置において、位相反転方式を変更してハンドシェイク手順を実行する場合の動作を説明するためのフロー図
【図１０】本発明の実施の形態２に係るリモート側のＡＤＳＬモデム装置において、位相反転方式を変更すると共に伝送方式を調歩同期式に変更してハンドシェイク手順を実行する場合の動作を説明するためのフロー図
【図１１】本発明の実施の形態２に係るセンター側のＡＤＳＬモデム装置において、位相反転方式を変更すると共に伝送方式を調歩同期式に変更してハンドシェイク手順を実行する場合の動作を説明するためのフロー図
【図１２】伝送方式を調歩同期式に変更した場合にＧ．ｈｓのＡｎｎｅｘＡの特定キャリアにおいて、位相反転する信号における出力を説明するための図
【符号の説明】
【００８２】
１  スプリッタ
２  ＡＤＳＬモデム装置
３  ユーザ端末
４  電話機
１１  トランシーバ
１２  ホスト
１３  ＡＦＥ
１４、１８  アナログフィルタ
１５  ドライバ
１６  ハイブリッド
１７  レシーバ
２０  プロセッサ
２１  リードソロモン符号化部
２２  インターリーブ部
２３  トレリス符号化部
２４  トーンオーダリング部
２５  コンステレーション符号化部
２６  ＩＦＦＴ部
２７  ＦＦＴ部
２８  コンステレーション復号化／ＦＥＱ部
２９  トーンデオーダリング部
３０  ビタビ復号化部
３１  デインターリーブ部
３２  リードソロモン復号化部
【図１】
2005072781.tif 000003
【図２】
2005072781.tif 000004
【図３】
2005072781.tif 000005
【図４】
2005072781.tif 000006
【図５】
2005072781.tif 000007
【図６】
2005072781.tif 000008
【図７】
2005072781.tif 000009
【図８】
2005072781.tif 000010
【図９】
2005072781.tif 000011
【図１０】
2005072781.tif 000012
【図１１】
2005072781.tif 000013
【図１２】
2005072781.tif 000014